(57)【要約】【課題】ヒュージブルリンク、ヒューズ、リレーを設けるリレーボックスの小型化、部品点数削減を図ると共に、電源側とリレーとの接続の最適化を図る。【解決手段】基板部の下端よりバッテリ接続用の入力端子部およびリレー用の中継端子部１７を突設すると共に上端よりヒューズ接続用端子部を突設し、かつ、細幅部を備えたヒュージブルリンク部を一体的に形成した縦バスバーを設け、縦バスバーをリレーボックスのケース内に垂直方向に組み込んでいると共に、ケースの下部にリレー用バスバー４０を収容し、リレー用バスバー４０の基板部４０ａには上向きに入力端子部４０ｂおよびリレー接続用端子部４０ｃを突設し、リレー用バスバー４０の入力端子部４０ｂを上方に位置する縦バスバーの下向きのリレー用の中継端子部１７と接続し、リレー接続用端子部４０ｃはケースの上部に形成するリレー収容部２４の入力側キャビティに突出させている。【選択図】    図４
2004328959.tif 000002
【特許請求の範囲】
【請求項１】
長手方向に延在する基板部の下端よりバッテリ接続用の入力端子部およびリレー用の中継端子部を突設すると共に上端よりヒューズ接続用端子部を突設し、かつ、細幅部を備えたヒュージブルリンク部を一体的に形成し、上記リレー用の中継端子部は上記ヒュージブルリンク部を経ずに入力端子部と導通される形状とした縦バスバーを設け、
上記縦バスバーをリレーボックスのケース内に垂直方向に組み込んでいると共に、上記ケースの下部にリレー用バスバーを収容し、該リレー用バスバーの基板部には上向きに入力端子部およびリレー接続用端子部を突設し、上記リレー用バスバーの入力端子部を上方に位置する上記縦バスバーの下向きのリレー用の中継端子部と接続し、上記リレー接続用端子部は上記ケースの上部に形成するリレー収容部の入力側キャビティに突出させていることを特徴とする自動車用リレーボックス。
【請求項２】
上記ケースの下部にヒューズ用バスバーを収容し、該ヒューズ用バスバーにはヒューズ負荷側接続端子部を突設しており、該ヒューズ負荷側接続端子部は上記ケースの上部に形成するヒューズ出力側キャビティに突出させている請求項１に記載の自動車用リレーボックス。
【請求項３】
上記縦バスバーは上記ヒュージブルリンク部の細幅部、上記バッテリ接続用の入力端子部、上記リレー用の中継端子部および上記ヒューズ接続用端子部を除いて樹脂モールドしてバスバーモールド部材を設け、該バスバーモールド部材を、上記ケース内で上記リレー用バスバーの上部に組み込んでいる請求項１または請求項２に記載の自動車用リレーボックス。
【請求項４】
上記縦バスバーに設けるリレー用の中継端子部は下向きタブ形状とする一方、上記リレー用バスバーの入力端子部は先端から圧接スロットを切り込んだ圧接タブとし、ケース内部に上記縦バスバーが組み込まれると上記下向きタブが上記圧接タブの圧接スロット内に圧入されて圧接接続される構成としている請求項１乃至請求項３のいずれか１項に記載の自動車用リレーボックス。
【発明の詳細な説明】
【０００１】
【発明の属する技術分野】
本発明は自動車リレーボックスに関し、詳しくは、大容量ヒューズのヒュージブルリンクと、その下流にヒューズを収容すると共にリレーを搭載するリレーボックスにおいて、別部材のヒュージブルリンクを搭載することなく、ヒュージブルリンク部とバッテリー接続用の入力端子部と下流のヒューズと接続する出力端子部を一体化した縦バスバーを設けると共に、該縦バスバーとリレーとを好適に接続するものである。
【０００２】
【従来の技術】
従来、この種のヒュージブルリンクとヒューズとを収容する電気接続箱として、特開平１０−６９８４９号（特許文献１）が提供されている。該電気接続箱では、図７に示すように、複数のヒュージブルリンクを取り付けるヒュージブルリンク専用ブロック１と、複数のヒューズやリレーを取り付けるブロック２とを別個に設け、これら各ブロックに夫々バスバーを収容してヒュージブルリンク、ヒューズと接続し、該ヒュージブルリンクに接続したバスバーとヒューズに接続したバスバーとをハーネス３で接続する構成とされている。
【０００３】
また、図８に回路構成で示すように、ヒュージブルリンク専用ブロック１に収容されたバスバー９のヒュージブルリンク５の出力端とブロック２のヒューズ６とがハーネス３の電線ｗで接続されていると共に、ヒュージブルリンク専用ブロック１のバスバー５とブロック２のリレー８とがハーネス３の電線ｗで接続されていることが多い。電線ｗとヒューズ６との接続は、図９に示すように、電線ｗに圧着バスバー７を接続し、該圧着バスバー７に複数のヒューズ接続用端子７ａを並設している。
【０００４】
【特許文献１】
特開平１０−６９８４９号公報
【０００５】
【発明が解決しようとする課題】
上記のように、電気接続箱が２つのブロックからなり、かつ、これらブロックに収容したバスバーをハーネスで接続しているため、構成部品点数が非常に多く、組み立て手数もかかり、その結果、コスト高になる問題がある。
特に、ブロック間をハーネスで接続して、該ハーネスの電線端末に夫々端子を圧着して接続を図っている点で、部品点数と作業工数が増加する問題がある。
さらに、別部材のヒュージブルリンクはかなり大きく、このヒュージブルリンクを複数搭載するヒュージブルリンク専用ブロックは大型化し、その上、ヒューズ専用ブロックも必要とするため、大きな設置スペースが必要となる問題がある。
【０００６】
本発明は上記した問題に鑑みてなされたもので、２つのブロックに分割されていたものを１つとしハーネスの接続を廃止して、電気接続箱の小型化を図り構成部品点数の削減を図ると共に、電源側とリレーとの接続を好適に図ることを課題としている。
【０００７】
【課題を解決するための手段】
上記課題を解決するため、本発明は、長手方向に延在する基板部の下端よりバッテリ接続用の入力端子部およびリレー用の中継端子部を突設すると共に上端よりヒューズ接続用端子部を突設し、かつ、細幅部を備えたヒュージブルリンク部を一体的に形成し、上記リレー用の中継端子部は上記ヒュージブルリンク部を経ずに入力端子部と導通される形状とした縦バスバーを設け、
上記縦バスバーをリレーボックスのケース内に垂直方向に組み込んでいると共に、上記ケースの下部にリレー用バスバーを収容し、該リレー用バスバーの基板部には上向きに入力端子部およびリレー接続用端子部を突設し、上記リレー用バスバーの入力端子部を上方に位置する上記縦バスバーの下向きのリレー用の中継端子部と接続し、上記リレー接続用端子部は上記ケースの上部に形成するリレー収容部の入力側キャビティに突出させていることを特徴とする自動車用リレーボックスを提供している。
【０００８】
上記構成とすると、縦バスバーに細幅部を設けることでヒュージブルリンク部を縦バスバーと一体的に形成しているため、別部材のヒュージブルリンクを搭載する必要がない。また、このヒュージブルリンクを一体的に設けた縦バスバーに、バッテリー接続用の入力端子部も一体的に設けて入力回路を一体化し、かつ、ヒュージブルリンク部の下流に設けるヒューズの入力端子と接続されるヒューズ接続用端子部も一体的に設け、さらに、リレーへと接続するリレー用バスバーと接続する中継端子部も一体的に設けているので、１つの縦バスバーをヒュージブルリンク部、入力端子部、ヒューズ接続用端子部、中継端子部を全て一体的に設けているため、構成部品を飛躍的に減少させることができる。
【０００９】
また、上記縦バスバーとリレーとを接続する際、従来は、電線の端部に圧着端子を接続して行っていたが、本発明では、上記ケースの下方から上記リレー用バスバーを収容するだけで、リレー用バスバーの入力端子部およびリレー接続用端子部が縦バスバーの中継端子部およびリレーの入力端子と接続されて、縦バスバーとリレーとの電気的な接続を簡単に行うことができ、作業性の向上および部品点数の削減を図ることが可能となる。
【００１０】
さらに、上記縦バスバーをリレーボックス内部に垂直に配置し、バッテリー接続用の入力端子部とリレー用の中継端子部を下方に位置させる一方、ヒューズ接続用端子部は上方に位置させ、ケース上面にヒューズを搭載できる構造として、ケース内部を立体的に利用しているため、電気接続箱の小型化を図ることができ、従来の２つのブロックを設けた場合と比較して、占有スペースを非常に少なくすることができる。
【００１１】
上記ケースの下部にヒューズ用バスバーを収容し、該ヒューズ用バスバーにはヒューズ負荷側接続端子部を突設しており、該ヒューズ負荷側接続端子は上記ケースの上部に形成するヒューズ出力側キャビティに突出させている。
上記構成とすると、上記ケースの下方から上記ヒューズ用バスバーを収容するだけで、ヒューズの出力端子とヒューズ用バスバーとが接続され、ヒューズ負荷側の回路を簡単に形成することができる。
【００１２】
上記縦バスバーは上記ヒュージブルリンク部の細幅部、上記バッテリ接続用の入力端子部、上記リレー用の中継端子部および上記ヒューズ接続用端子部を除いて樹脂モールドしてバスバーモールド部材を設け、該バスバーモールド部材を、上記ケース内で上記リレー用バスバーの上部に組み込んでいる。
【００１３】
このように、縦バスバーを樹脂モールドすることで縦バスバーが変形しないように強度を高めることができる。特に、ヒューズの入力端子と接続するヒューズ接続用端子は一体成形したヒューズ入力端子用キャビティ部に突出させて保持することで、該ヒューズ接続用端子を係止する可撓性を有するランス等の係止部を設ける必要がなく、構成を簡素化することができ、該ヒューズ接続用端子を保護しながら位置決め精度を高めることができる。
【００１４】
上記縦バスバーに設けるリレー用の中継端子部は下向きタブ形状とする一方、上記リレー用バスバーの入力端子部は先端から圧接スロットを切り込んだ圧接タブとし、ケース内部に上記縦バスバーが組み込まれると上記下向きタブが上記圧接タブの圧接スロット内に圧入されて圧接接続される構成としていると、リレー用バスバーをケース下方より差し込むだけで電気接続でき、中継端子を不要とすることができる。
【００１５】
【発明の実施の形態】
以下、本発明の実施形態を図面を参照して説明する。
図１に示す電気接続箱１０のケース１１内部には、縦バスバー１２を樹脂モールドしたバスバーモールド部材１８を垂直に組み込みケース１１の下部でバッテリおよびオルタネータ接続用の電線を縦バスバー１２の入力端子と接続させると共に、ケース１１の上面にヒューズ２０、リレー２７、２９を搭載し、縦バスバー１２やリレー用バスバー４０等で回路接続を図っている。
【００１６】
縦バスバー１２は図２に示す形状で、導電性金属板を打ち抜き加工して形成している。該縦バスバー１２は長手方向に延在する基板部１２ａの下端より第１バッテリ接続用のタブ形状の入力端子１３とオルタネータ接続用のタブ形状の入力端子１４とリレー用の中継端子部１７を突設している。これら入力端子１３と１４の間の基板部１２ａの下端より溶断部となる細幅部１５ａを備えたヒュージブルリンク部１５を並設状態で突設し、細幅部１５ａを挟んで基板部１２ａと接続するヒュージブルリンク部１５の先端部はタブ１５ｂとしている。基板部１２ａの上端よりヒューズ入力端子と接続する複数のヒューズ接続用端子１６を突設している。これらヒューズ接続用端子部１６は上端よりスロット１６ａを切り込んだ圧接端子としている。
【００１７】
上記縦バスバー１２を図３（Ａ）（Ｂ）に示すように、樹脂モールドしてバスバーモールド部材１８を設けている。バスバーモールド部材１８は、ヒュージブルリンク部１５の細幅部１５ａは露出させると共に、入力端子１３、１４および中継端子部１７を露出させている。かつ、ヒューズ２０の入力端子２０ａを収容するヒューズ入力端子用のキャビティ部１９を並列させて一体に設け、該キャビティ部１９にヒューズ接続用端子部１６を突出させている。該キャビティ部１９はヒューズ収容部の半割り部を構成している。
【００１８】
バスバーモールド部材１８はリレーボックス１０のケース１１内において、図１中でケース１１の左側辺１１ａの内面に沿って垂直方向に貫通させて着脱可に組み込んでいる。即ち、バスバーモールド部材１８の外面に係止部（図示せず）を設け、該係止部をケース１１の内面に形成した被係止部（図示せず）に係止している。
【００１９】
ケース１１には、バスバーモールド部材１８の挿入孔に沿った上面にヒューズ２０の出力端子２０ｂを収容するヒューズ出力端子用のキャビティ部２１を並設している。このキャビティ部２１は、バスバーモールド部材１８をケース１１内に組み込んだ時、該バスバーモールド部材１８のキャビティ部１９と並列され、キャビティ部１９とキャビティ部２１とを合致させてヒューズ収容部２２を形成しており、さらに、ケース１１の上面にはリレー収容部２３、２４も形成されている。
【００２０】
縦バスバー１２をモールドしたバスバーモールド部材１８をケース１１内に組み込んだリレーボックス１０では、下方に突出するバッテリ接続用の入力端子部１３に電源線ｗ１の端末に接続されたメス端子２５を嵌合接続すると共に、オルタネータ接続用の入力端子１４に電線ｗ２の端末に接続されたメス端子２６を嵌合接続している。また、ヒュージブルリンク部１５のタブ１５ｂに電線に接続されたメス端子を夫々嵌合接続している。
【００２１】
リレー用バスバー４０は、図４に示すように、所要形状に打抜かれた導電性金属板を折り曲げ加工して形成され、短冊状の基板部４０ａの上端より圧接スロット４０ｂ−１、４０ｃ−１を有する入力端子部４０ｂおよびリレー接続用端子部４０ｃが突設されている。
そして、リレー用バスバー４０をケース１１の下部からケース１１内に差し込むことで、縦バスバー１２の中継端子部１７に入力端子部４０ｂの圧接スロット４０ｂ−１が圧入されると共に、リレー収容部２４の入力側キャビティ（図示せず）にリレー接続用端子部４０ｃが挿入され、リレー２９の入力端子２９ａがリレー接続用端子部４０ｃの圧接スロット４０ｃ−１に圧入される。
なお、リレー用バスバー４０には、入力端子部４０ｂおよびリレー接続用端子部４０ｃ以外にも端子部を設けてヒューズ等と接続しても構わない。
【００２２】
ケース１１の上面に露出するキャビティ部１９は、前述したように、ケース１１のキャビティ部２１と並設されて複数のヒューズ２０を並列状態で装着するヒューズ収容部２２を構成し、ヒューズ収容部２２にヒューズ２０を搭載している。
図１（Ｂ）および図５に示すように、ヒューズ２０の入力端子２０ａはキャビティ１９に挿入され、縦バスバー１２のヒューズ接続用端子部１６の圧接スロット１６ａと圧接接続される。
【００２３】
ヒューズ用バスバー４１は、所要形状に打抜かれた導電性金属板を折り曲げ加工して形成され、短冊状の基板部４１ａの上端より圧接スロット４１ｂ−１、４１ｃ−１を有するヒューズ負荷側接続端子部４１ｂおよびリレー接続用端子部４１ｃが突設されている。
そして、ヒューズ用バスバー４１をケース１１の下方から挿入することで、ヒューズ２０の出力端子２０ｂにヒューズ用バスバー４１のヒューズ負荷側接続端子部４１ｂの圧接スロット４１ｂ−１が圧入されると共に、リレー収容部２３の入力側キャビティ（図示せず）にリレー接続用端子部４１ｃが挿入され、リレー２７の入力端子２７ａがリレー接続用端子部４１ｃの圧接スロット４１ｃ−１に圧入される。
【００２４】
リレーボックス１０内の回路は、図６に示すように、縦バスバー１２の入力端子部１３から供給される電源を基板部１２ａでヒュージブルリンク部１５へ分配し、ヒュージブルリンク部１５の一部は出力側タブ１５ｂを直接電線に接続している。
基板部１２ａの上端に突設したヒューズ接続用端子１６はヒューズ２０の入力端子２０ａと接続され、バッテリ→入力端子部１３→基板部１２ａ→ヒュージブルリンク部１５→基板部１２ａ→ヒューズ接続用端子部１６→ヒューズ２０の入力端子２０ａと回路が形成される。さらに、ヒューズ２０の下流では、ヒューズ用バスバー４１によりリレー２９へと接続されている。
【００２５】
また、縦バスバー１２の入力端子部１３から供給される電源は、リレー用バスバー４０を介してリレー２９へと直接接続され、バッテリ→入力端子部１３→リレー用バスバー４０→リレー２９と流れる回路も形成される。
【００２６】
上記構成のリレーボックス１０では、縦バスバー１２にヒュージブルリンク部１５を一体に形成しているため、別体のヒュージブルリンクを搭載する必要がない。かつ、縦バスバー１２にヒューズ接続用端子部１６も一体的に形成しているため、縦バスバー１２で前記図７〜図９に示すハーネス３および圧着バスバー７を吸収でき、縦バスバー１２により電源側とヒューズとの間をヒュージブルリンク部を介在させてヒューズと接続することができる。
また、ケース１１の下方からリレー用バスバー４０を収容するだけで、リレー用バスバー４０の入力端子部４０ｂが縦バスバー１２の中継端子部１７と接続されると共に、リレー接続用端子部４０ｃがリレーの入力端子と接続され、縦バスバー１２とリレー２９との電気的な接続を簡単に行うことができ、作業性の向上および部品点数の削減を図ることができる。
【００２７】
さらに、縦バスバー１２をモールドしたバスバーモールド部材１８をケース１１内に垂直方向に組み込み、下部に電源側接続部となる入力端子部１３およびヒュージブルリンク部１５を設ける一方、上方にヒューズ入力端子用のキャビティ部１９を設けているため、ケース１１内を立体的に利用でき、リレーボックス１０の小型化を図ることができる。
また、ヒューズ収容部２２は入力側のキャビティ部１９をバスバーモールド部材１８に設ける一方、出力側のキャビティ部２１をケース１１に設けて分割型としているため、ヒュージブルリンク部１５が溶断して縦バスバー１２の交換作業が必要となった場合、ヒューズ２０の出力端子２０ｂと接続されるヒューズ用バスバー４１を取り外す必要がなく、作業性を高めることができる。
【００２８】
【発明の効果】
以上の説明より明らかなように、本発明によれば、ヒュージブルリンクおよび電源側の入力端子、ヒューズの入力端子と接続するヒューズ接続用端子、リレー用バスバーと接続するための中継端子部を縦バスバーに一体的に設けているため、構成部品を非常に少なくできる。または、上記ケースの下方から上記リレー用バスバーを収容するだけで縦バスバーとリレーとの電気的な接続を簡単に行うことができ、作業性の向上および部品点数の削減を図られる。かつ、ヒュージブルリンク専用ブロックとヒューズ専用ブロックを設ける必要はなく、１つのケースにまとめることができるため、小型化を図ることができる。さらに、縦バスバーを樹脂モールドしたバスバーモールド部材をケース内部に垂直に組み込んで立体的に接続部品と接続させているため、１つにまとめたケースをさらに小型化することが出来る等の種々の利点を有する。
【図面の簡単な説明】
【図１】本発明の実施形態のリレーボックスを示し、（Ａ）は平面図、（Ｂ）は断面図である。
【図２】縦バスバーの正面図である。
【図３】縦バスバーをモールドしたバスバーモールド部材を示し、（Ａ）は平面図、（Ｂ）は正面図である。
【図４】リレー用バスバーの接続形態を示す斜視図である。
【図５】ヒューズ用バスバーの接続形態を示す斜視図である。
【図６】縦バスバーおよびリレー用バスバーを用いた回路図である。
【図７】従来例を示す斜視図である。
【図８】従来の回路図である。
【図９】従来用いられていた圧着バスバーを示す図面である。
【符号の説明】
１０    リレーボックス
１１    ケース
１２    縦バスバー
１３    バッテリ接続用の入力端子部
１４    オルタネータ接続用の入力端子部
１５    ヒュージブルリンク部
１６    ヒューズ接続用端子部
１７    中継端子部
１９    ヒューズ入力端子用のキャビティ部
２０    ヒューズ
２１    ヒューズ出力端子用のキャビティ部
２３、２４  リレー収容部
２７、２９  リレー
【図１】
2004328959.tif 000003
【図２】
2004328959.tif 000004
【図３】
2004328959.tif 000005
【図４】
2004328959.tif 000006
【図５】
2004328959.tif 000007
【図６】
2004328959.tif 000008
【図７】
2004328959.tif 000009
【図８】
2004328959.tif 000010
【図９】
2004328959.tif 000011